(57)【要約】  情報記録再生装置（３００）は、（ｉ）第１記録層を透過したレーザ光によって、少なくとも第２記録層に記録情報を記録する記録手段（３０２等）と、（ｉｉ）第１記録層における第１エリアと、当該第１エリアと対向する位置にある第２記録層における第２エリアとを含む記録領域の記録単位で、記録情報を記録するように記録手段を制御する記録制御手段（３０５等）と、（ｉｉｉ）記録情報の再生を制御する再生制御情報（File System）が記録予定である、第１内周エリア（FS0）、及び、第２内周エリア（FS1）において、所定の記録情報を記録するように記録手段を制御するフォーマット制御手段（３０５等）とを備える。
2007046493.tif 000002
【特許請求の範囲】
【請求項１】
（ｉ）記録情報の一部を記録するための第１トラックが形成された第１記録層と、（ｉｉ）前記記録情報の他部を記録するための第２トラックが形成された第２記録層とを少なくとも備える情報記録媒体に記録する情報記録装置であって、
前記第１記録層を透過したレーザ光によって、少なくとも前記第２記録層に前記記録情報の他部を記録する記録手段と、
前記第１記録層における第１エリアと、当該第１エリアと対向する位置にある前記第２記録層における第２エリアとを含む記録領域の記録単位で、前記記録情報を記録するように前記記録手段を制御する記録制御手段と、
前記記録情報の再生を制御する再生制御情報が記録予定である、前記第１記録層の内周部に位置する第１内周エリア、及び、当該第１内周エリアに対向しつつ前記第２記録層の内周部に位置する第２内周エリアのうち少なくとも前記第１内周エリアにおいて、所定の前記記録情報を記録するように前記記録手段を制御するフォーマット制御手段と
を備えることを特徴とする情報記録装置。
【請求項２】
前記フォーマット制御手段は、前記第１内周エリアにおいて、所定の前記記録情報を記録するように前記記録手段を制御することを特徴とする請求の範囲第１項に記載の情報記録装置。
【請求項３】
前記フォーマット制御手段は、（ｉ）前記第１内周エリアの全体、及び（ｉｉ）前記第２内周エリアの外周端の部分において、所定の前記記録情報を記録するように前記記録手段を制御することを特徴とする請求の範囲第１項に記載の情報記録装置。
【請求項４】
前記フォーマット制御手段は、前記第１記録層、及び前記第２記録層の記録領域の全体において、所定の前記記録情報を記録するように前記記録手段を制御することを特徴とする請求の範囲第１項に記載の情報記録装置。
【請求項５】
前記フォーマット制御手段は、前記記録情報の記録と、同時に又は相前後して、所定の前記記録情報を記録するように前記記録手段を制御することを特徴とする請求の範囲第１項に記載の情報記録装置。
【請求項６】
前記情報記録媒体は、前記記録情報が記録済み状態の記録領域の外周端の位置に関する一の位置情報を含む管理情報を記録するための管理エリアを備え、
前記記録制御手段は、前記管理情報を、前記管理エリアに記録するように、前記記録手段を制御することを特徴とする請求の範囲第１項に記載の情報記録装置。
【請求項７】
前記情報記録媒体は、（ｉ）前記記録情報の記録又は再生を管理すると共に、（ｉｉ）前記第１内周エリアと、前記第２内周エリアとにおける外周端の位置に関する他の位置情報を含む管理情報を記録するための管理エリアを備え、
前記記録制御手段は、前記管理情報を、前記管理エリアに記録するように、前記記録手段を制御することを特徴とする請求の範囲第１項に記載の情報記録装置。
【請求項８】
前記情報記録媒体は、前記情報記録媒体において、所定の前記記録情報が記録されているか否かを示す識別情報を含む管理情報を記録するための管理エリアを備え、
前記記録制御手段は、前記管理情報を、前記管理エリアに記録するように、前記記録手段を制御することを特徴とする請求の範囲第１項に記載の情報記録装置。
【請求項９】
前記管理エリアから、前記管理情報を取得する取得手段を備え、
前記フォーマット制御手段は、取得された前記管理情報に基づいて、所定の前記記録情報を記録するように前記記録手段を制御し、
前記記録制御手段は、取得された前記管理情報に基づいて、前記記録情報を記録するように前記記録手段を制御することを特徴とする請求の範囲第６項に記載の情報記録装置。
【請求項１０】
（ｉ）記録情報の一部を記録するための第１トラックが形成された第１記録層と、（ｉｉ）前記第１トラックに対応されると共に、前記記録情報の他部を記録するための第２トラックが形成された第２記録層とを少なくとも備える情報記録媒体に対して、前記第１記録層を透過したレーザ光によって、少なくとも前記第２記録層に前記記録情報の他部を記録する記録手段を備える情報記録装置における情報記録方法であって、
前記第１記録層における第１エリアと、当該第１エリアと対向する位置にある前記第２記録層における第２エリアとを含む記録領域の記録単位で、前記記録情報を記録するように前記記録手段を制御する記録制御工程と、
前記記録情報の再生を制御する再生制御情報が記録予定である、前記第１記録層の内周部に位置する第１内周エリア、及び、当該第１内周エリアに対向しつつ前記第２記録層の内周部に位置する第２内周エリアのうち少なくとも前記第１内周エリアにおいて、所定の前記記録情報を記録するように前記記録手段を制御するフォーマット制御工程と
を備えることを特徴とする情報記録方法。
【請求項１１】
請求の範囲第１項に記載の情報記録装置に備えられたコンピュータを制御する記録制御用のコンピュータプログラムであって、該コンピュータを、前記記録手段、前記記録制御手段、及び、前記フォーマット制御手段のうち少なくとも一部として機能させることを特徴とするコンピュータプログラム。
【請求項１２】
（ｉ）記録情報の一部を記録するための第１トラックが形成された第１記録層と、（ｉｉ）前記第１トラックに対応されると共に、前記記録情報の他部を記録するための第２トラックが形成された第２記録層とを少なくとも備え、
前記記録情報の再生を制御する再生制御情報が記録予定である、前記第１記録層の内周部に位置する第１内周エリア、及び、当該第１内周エリアに対向しつつ前記第２記録層の内周部に位置する第２内周エリアのうち少なくとも前記第１内周エリアにおいて、所定の前記記録情報が予め記録されていることを特徴とする情報記録媒体。
【請求項１３】
前記記録情報が記録済み状態の記録領域の外周端の位置に関する一の位置情報を含む管理情報を記録するための管理エリアを備えることを特徴とする請求の範囲第１２項に記載の情報記録媒体。
【請求項１４】
（ｉ）前記記録情報の記録又は再生を管理すると共に、（ｉｉ）前記第１内周エリアと、前記第２内周エリアとにおける外周端の位置に関する他の位置情報を含む管理情報を記録するための管理エリアを備えることを特徴とする請求の範囲第１２項に記載の情報記録媒体。
【請求項１５】
前記管理情報は、当該情報記録媒体において、所定の前記記録情報が記録されているか否かを示す識別情報を含むことを特徴とする請求の範囲第１２項に記載の情報記録媒体。
【発明の詳細な説明】
【技術分野】
【０００１】
本発明は、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体に対する情報記録装置及び方法、コンピュータプログラム、並びに、当該情報記録媒体の技術分野に関する。
【背景技術】
【０００２】
例えば、ＣＤ−Ｒ（Compact Disc−Recordable）、ＤＶＤ−Ｒ、ＤＶＤ−ＲＷ、及び、ＤＶＤ＋Ｒ等の記録型の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクに記録を行う、ＤＶＤレコーダ等の情報記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報を加熱などによる非可逆変化記録方式や相変化などによる書換え可能方式で記録する。他方、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を加熱などによる非可逆変化記録方式や相変化などによる書換え可能方式で記録することになる。【０００３】
特に、例えばＤＶＤ−ＲＷ  ＤＬ（Dual Layer）等の多層書き換え型の情報記録媒体において次のような記録手法が考えられる。即ち、（ｉ）例えばＤＶＤ−Ｒ  ＤＬ（Dual Layer）等の多層追記型の情報記録媒体において採用されている、レイヤージャンプレコーディング方式（Layer Jump Recording Mode、以下、適宜「ＬＪＲ方式」と称す）等の記録方式と、（ｉｉ）リストリクティドオーバーライト方式（Restricted Over Write Mode、以下、適宜「ＲＯＷ方式」と称す）等の記録方式との両方を適用する記録手法について提案されている。ここに、本願発明に係る「ＬＪＲ方式」とは、Ｌ０層の記録領域における第１エリアと、当該第１エリアと対向する位置にあるＬ１層の記録領域における第２エリアとを含む記録領域の記録単位で、記録情報を記録する記録方式である。また、本願発明に係る「ＲＯＷ方式」とは、書き換え型の情報記録媒体において一般的に行われており、記録情報が記録された記録領域においては、追記録や書き換え記録を含む、ランダムライト（Random Write）を可能とする記録方式のことである。ここに、本願発明に係る「ランダムライト」とは、ユーザが任意の位置に任意のタイミングで任意のデータを記録層に記録する記録処理のことである。【０００４】
このような２層型の光ディスクを構成するＬ１層に情報を記録する際には、例えば図１６（ａ）に示されるように、記録済みのＬ０層を介してＬ１層に照射されたレーザ光の最適な記録パワーは、図１６（ｃ）の細線（白三角印）の放物線上におけるジッタ値が最小となる４４．５（ｍＷ：ミリワット）である。他方、図１６（ｂ）に示されるように、記録済みのＬ０層とは光透過率の異なる未記録状態のＬ０層を介してＬ１層に照射されたレーザ光の最適な記録パワーは、図１６（ｃ）の太線（黒三角印）の放物線上におけるジッタ値が最小となる４６（ｍＷ：ミリワット）であり、Ｌ１層の記録においてはＬ０層が記録されているか否かを考慮する必要性がある。これに対しては、例えば記録済みの状態のＬ０層を透過した記録用のレーザ光が照射されなければならないという、所謂、記録要件（Recording Order）を満たす記録方法が考案されている。具体的には、Ｌ０層を記録済みの状態にしてから、この記録済みのＬ０層に対応される最適な記録パワーを保持するレーザ光によって、Ｌ１層に情報が記録される。他方、Ｌ０層を未記録の状態にしておき、この未記録の状態のＬ０層に対応される最適な記録パワーを保持するレーザ光によって、Ｌ１層に情報が記録される。或いは、情報を記録予定のＬ１層の領域に対向されるＬ０層の領域が記録済みであるか否かを、例えばスペースビットマップ（ＳＢＭ：Space Bit Map）等の管理情報に基づいて判断し、その判断に基づいて、Ｌ１層に情報が記録される。ここに、本願発明に係る「対向する」とは、第１記録層の一部と第２記録層の一部とが対応して相向き合っている、即ち、概ね同一の半径位置に存在する位置関係を意味するようにしてもよい。更に、偏芯等の誤差も考慮した位置関係を意味するようにしてもよい。【０００５】
【特許文献１】特開２０００−３１１３４６号公報
【特許文献２】特開２００１−２３２３７号公報
【発明の開示】
【発明が解決しようとする課題】
【０００６】
しかしながら、上述した、例えばＤＶＤ−ＲＷ  ＤＬ（Dual Layer）等の多層書き換え型の情報記録媒体において、上述したＬＪＲ方式とＲＯＷ方式との記録方式を併用して適用した場合、次のような技術的な問題点が生じてしまう。【０００７】
即ち、例えばファイルシステム等の記録情報の再生を制御する再生制御情報が記録予定である、Ｌ０層の内周部に位置する所定の範囲の記録領域（以下、適宜「第１内周エリア」と称す）に対向しつつＬ１層の内周部に位置する所定の範囲の記録領域（以下、適宜「第２内周エリア」と称す）に隣接した、Ｌ１層のデータエリアの一部（Ｌ１層のブランクエリア）においては、上述した記録要件を満たした、記録情報の記録を行うことが困難となってしまうという技術的な問題点が生じてしまう。【０００８】
より詳細には、上述した第１内周エリア、及び、上述した第２内周エリアにおいては、例えばファイルシステム等の再生制御情報が記録予定であるため、例えばコンテンツ等の記録情報が記録されないように確保（リザーブ：Reserve）される。よって、上述したＬＪＲ方式に基づいて、最初に、上述した第１内周エリアに隣接するＬ０層のデータエリアの一部（以下、適宜「第１エリア」と称す）において、内周から外周に向かって記録情報が記録される。引き続いて、上述した第２内周エリアに隣接するＬ１層のデータエリアの一部（以下、適宜「第２エリア」と称す）において、外周から内周に向かって記録情報が記録された場合、記録要件を満たして記録処理を行うことができない記録領域（所謂、ブランクエリア）が、第２内周エリアと第２エリアとの境界において生じてしまうという技術的な問題点が生じてしまう。【０００９】
本発明は、例えば上述した従来の問題点に鑑みなされたものであり、例えば複数の記録層を有する情報記録媒体に対して、記録要件を満たした、より適切な記録情報の記録を行うことが可能である、情報記録装置及び方法、コンピュータをこのような情報記録装置として機能させるコンピュータプログラム、並びに、情報記録媒体を提供することを課題とする。
【課題を解決するための手段】
【００１０】
（情報記録装置）
以下、本発明の情報記録装置について説明する。【００１１】
上記課題を解決するために、本発明の情報記録装置は、（ｉ）記録情報の一部を記録するための第１トラックが形成された第１記録層と、（ｉｉ）前記記録情報の他部を記録するための第２トラックが形成された第２記録層とを少なくとも備える情報記録媒体に記録する情報記録装置であって、前記第１記録層を透過したレーザ光によって、少なくとも前記第２記録層に前記記録情報の他部を記録する記録手段と、前記第１記録層における第１エリアと、当該第１エリアと対向する位置にある前記第２記録層における第２エリアとを含む記録領域の記録単位（所謂、ゾーン）で、前記記録情報を記録するように前記記録手段を制御する記録制御手段と、前記記録情報の再生を制御する再生制御情報（File System）が記録予定である、前記第１記録層の内周部に位置する第１内周エリア（FS0）、及び、当該第１内周エリアに対向しつつ前記第２記録層の内周部に位置する第２内周エリア（FS1）のうち少なくとも前記第１内周エリア（FS0）において、所定の前記記録情報（緩衝用データ：ゼロ）を記録するように前記記録手段を制御するフォーマット制御手段とを備える。【００１２】
本発明の情報記録装置によれば、記録制御手段の制御下で、記録手段によって、例えばレイヤージャンプ方式に基づいて、第１記録層における第１エリアと、当該第１エリアと対向する位置にある第２記録層における第２エリアとを含む記録領域の記録単位で、記録情報が記録される。ここに、本願発明に係る「記録単位」とは、例えば、レイヤージャンプ記録方式における、相対向する記録領域の組、言い換えると、第１エリアと、第２エリアとの組である、所謂、ゾーンを意味するようにしてもよい。【００１３】
特に、本発明によれば、フォーマット制御手段の制御下で、記録手段によって、記録情報の再生を制御する再生制御情報（File System）が記録予定である、（ｉ）第１記録層の内周部に位置する第１内周エリア（FS0）、及び（ｉｉ）当該第１内周エリアに対向しつつ第２記録層の内周部に位置する第２内周エリア（FS1）のうち少なくとも第１内周エリア（FS0）において、所定の記録情報（緩衝用データ：ゼロ）が記録される。ここに、本願発明に係る「所定の記録情報」とは、例えば、緩衝用データや、「ゼロ」や「Null」等の記録領域を記録済み状態と概ね等価にすることが可能な記録情報を意味するようにしてもよい。尚、この所定の記録情報の記録は、例えば光ディスクの製造時や、記録動作と平行したバックグラウンドフォーマット時等の所定のタイミングで記録されるようにしてもよい。【００１４】
この結果、第２内周エリアに隣接した、第２記録層のデータエリアの一部（後述されるＬ１層のブランクエリア）において、上述した記録要件を満たさないで、情報記録装置による記録情報の記録が行われることを殆ど又は完全になくすことが可能である。以上の結果、例えばＤＶＤ−ＲＷ  ＤＬ等の、複数の記録層を有する書き換え型の情報記録媒体における、全ての記録領域に対して、記録要件を満たした、より適切な記録情報の記録を行うことが可能である。【００１５】
本発明の情報記録装置の一の態様では、前記フォーマット制御手段は、前記第１内周エリアにおいて、所定の前記記録情報を記録するように前記記録手段を制御する。【００１６】
この態様によれば、例えば光ディスクの製造時や、記録動作と平行したバックグラウンドフォーマット時等の所定のタイミングで記録される所定の記録情報の記録処理を、第１内周エリア、及び第２内周エリアの両方において行う場合と比較して、より迅速且つ的確に実現することが可能となる。【００１７】
本発明の情報記録装置の他の態様では、前記フォーマット制御手段は、（ｉ）前記第１内周エリアの全体、及び（ｉｉ）前記第２内周エリアの外周端の部分において、所定の前記記録情報を記録するように前記記録手段を制御する。【００１８】
この態様によれば、所定の記録情報の記録処理をより迅速且つ的確にしつつ、第２内周エリアに隣接した、第２記録層のデータエリアの一部（後述されるＬ１層のブランクエリア）において、上述した記録要件を満たさないで、情報記録装置による記録情報の記録が行われることを殆ど又は完全になくすことが可能である。【００１９】
本発明の情報記録装置の他の態様では、前記フォーマット制御手段は、前記第１記録層、及び前記第２記録層の記録領域の全体において、所定の前記記録情報を記録するように前記記録手段を制御する。【００２０】
この態様によれば、第２内周エリアに隣接した、第２記録層のデータエリアの一部（後述されるＬ１層のブランクエリア）を含む、第２記録層のデータエリアの全てにおいて、上述した記録要件を満たさないで、情報記録装置による記録情報の記録が行われることを殆ど又は完全になくすことが可能である。【００２１】
本発明の情報記録装置の他の態様では、前記フォーマット制御手段は、前記記録情報の記録と、同時に又は相前後して、所定の前記記録情報を記録するように前記記録手段を制御する。【００２２】
この態様によれば、記録情報の記録と、同時に又は相前後して、所定の記録情報の記録を行うことが可能である。ここに、「記録情報の記録と、同時に又は相前後して」とは、例えば光ディスクの製造時に加えて、又は、代えて、記録動作と平行したバックグラウンドフォーマット時等の所定のタイミングで記録されることを意味してもよい。或いは、例えば光ピックアップ等の記録手段が複数存在し、一の記録手段による記録情報の記録と、同時に又は相前後したタイミングで、他の記録手段によって所定の前記記録情報が記録されるようにしてもよい。当該情報記録媒体の目的や用途に適切に対応しつつ、所定の記録情報の記録を行うことが可能である。【００２３】
本発明の情報記録装置の他の態様では、前記情報記録媒体は、前記記録情報が記録済み状態の記録領域の外周端の位置に関する一の位置情報を含む管理情報（RMD）を記録するための管理エリア（RMA）を備え、前記記録制御手段は、前記管理情報を、前記管理エリアに記録するように、前記記録手段を制御する。【００２４】
この態様によれば、例えばＤＶＤ−ＲＷ  ＤＬ等の２層書き換え型の情報記録媒体における記録情報の記録済み状態の記録領域に対して、ＲＯＷ方式に基づく記録処理を行うことが可能となる。即ち、当該情報記録媒体に対して、情報記録装置による、追記録や書き換え記録を含む、ランダムライト（Random Write）を可能とすることが可能である。【００２５】
本発明の情報記録装置の他の態様では、前記情報記録媒体は、（ｉ）前記記録情報の記録又は再生を管理すると共に、（ｉｉ）前記第１内周エリアと、前記第２内周エリアとにおける外周端の位置に関する他の位置情報を含む管理情報（RMD）を記録するための管理エリア（RMA）を備え、前記記録制御手段は、前記管理情報を、前記管理エリアに記録するように、前記記録手段を制御する。【００２６】
この態様によれば、例えば取得された管理情報に基づいて、例えば、他の情報記録装置によって、第１内周エリア、及び第２内周エリアの部分的又は全体的な記録領域における、所定の記録情報の記録を、時間的に連続して、又は連続させないで不連続に行うことが可能となる。【００２７】
本発明の情報記録装置の他の態様では、前記情報記録媒体は、前記情報記録媒体において、所定の前記記録情報が記録されているか否かを示す識別情報（フラグ）を含む管理情報（RMD）を記録するための管理エリア（RMA）を備え、前記記録制御手段は、前記管理情報を、前記管理エリアに記録するように、前記記録手段を制御する。【００２８】
この態様によれば、例えば取得された管理情報に基づいて、例えば、他の情報記録装置によって、所定の記録情報の記録の必要性の有無を迅速且つ的確に識別することが可能となる。【００２９】
この態様では、前記管理エリアから、前記管理情報を取得する取得手段を備え、前記フォーマット制御手段は、取得された前記管理情報に基づいて、所定の前記記録情報を記録するように前記記録手段を制御し、前記記録制御手段は、取得された前記管理情報に基づいて、前記記録情報を記録するように前記記録手段を制御するように構成してもよい。【００３０】
このように構成すれば、取得された管理情報に基づいたフォーマット制御手段の制御下で、記録手段は、所定の記録情報をより適切に記録することが可能となる。加えて、取得された管理情報に基づいた記録制御手段の制御下で、記録手段は、記録情報をより適切に記録することが可能となる。【００３１】
（情報記録方法）
以下、本発明の情報記録方法について説明する。【００３２】
上記課題を解決するために、本発明の情報記録方法は、（ｉ）記録情報の一部を記録するための第１トラックが形成された第１記録層と、（ｉｉ）前記第１トラックに対応されると共に、前記記録情報の他部を記録するための第２トラックが形成された第２記録層とを少なくとも備える情報記録媒体に対して、前記第１記録層を透過したレーザ光によって、少なくとも前記第２記録層に前記記録情報の他部を記録する記録手段を備える情報記録装置における情報記録方法であって、前記第１記録層における第１エリアと、当該第１エリアと対向する位置にある前記第２記録層における第２エリアとを含む記録領域の記録単位で、前記記録情報を記録するように前記記録手段を制御する記録制御工程と、前記記録情報の再生を制御する再生制御情報（File System）が記録予定である、前記第１記録層の内周部に位置する第１内周エリア（FS0）、及び、当該第１内周エリアに対向しつつ前記第２記録層の内周部に位置する第２内周エリア（FS1）のうち少なくとも前記第１内周エリア（FS0）において、所定の前記記録情報（緩衝用データ：ゼロ）を記録するように前記記録手段を制御するフォーマット制御工程とを備える。【００３３】
本発明の情報記録方法によれば、上述した本発明の情報記録装置が有する各種利益を享受することが可能となる。【００３４】
尚、上述した本発明の情報記録装置が有する各種態様に対応して、本発明の情報記録方法も各種態様を採ることが可能である。【００３５】
（コンピュータプログラム）
以下、本発明のコンピュータプログラムについて説明する。【００３６】
上記課題を解決するために、本発明の記録制御用のコンピュータプログラムは、上述した本発明の情報記録装置（但し、その各種態様を含む）に備えられたコンピュータを制御する記録制御用のコンピュータプログラムであって、該コンピュータを、前記記録手段、前記記録制御手段、及び、前記フォーマット制御手段のうち少なくとも一部として機能させる。【００３７】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００３８】
尚、上述した本発明の情報記録装置における各種態様に対応して、本発明の各コンピュータプログラムも各種態様を採ることが可能である。【００３９】
上記課題を解決するために、コンピュータ読取可能な媒体内のコンピュータプログラム製品は、上述した本発明の情報記録装置（但し、その各種態様を含む）に備えられたコンピュータにより実行可能なプログラム命令を明白に具現化し、該コンピュータを、前記記録手段、前記記録制御手段、及び、前記フォーマット制御手段のうち少なくとも一部として機能させる。【００４０】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００４１】
（情報記録媒体）
以下、本発明の情報記録媒体について説明する。【００４２】
上記課題を解決するために、本発明の情報記録媒体は、（ｉ）記録情報の一部を記録するための第１トラックが形成された第１記録層と、（ｉｉ）前記第１トラックに対応されると共に、前記記録情報の他部を記録するための第２トラックが形成された第２記録層とを少なくとも備え、前記記録情報の再生を制御する再生制御情報（File System）が記録予定である、前記第１記録層の内周部に位置する第１内周エリア（FS0）、及び、当該第１内周エリアに対向しつつ前記第２記録層の内周部に位置する第２内周エリア（FS1）のうち少なくとも前記第１内周エリア（FS0）において、所定の前記記録情報（緩衝用データ：ゼロ）が予め記録されている。【００４３】
本発明の情報記録媒体によれば、例えば前述した情報記録装置によって、例えばレイヤージャンプ方式に基づいて、第１記録層における第１エリアと、当該第１エリアと対向する位置にある第２記録層における第２エリアとを含む記録領域の記録単位で、記録情報を記録可能である。【００４４】
特に、本発明によれば、記録情報の再生を制御する再生制御情報（File System）が記録予定である、（ｉ）第１記録層の内周部に位置する第１内周エリア（FS0）、及び（ｉｉ）当該第１内周エリアに対向しつつ第２記録層の内周部に位置する第２内周エリア（FS1）のうち少なくとも第１内周エリア（FS0）において、所定の記録情報（緩衝用データ：ゼロ）が記録されている。尚、この所定の記録情報の記録は、例えば光ディスクの製造時等でもよい。【００４５】
この結果、第２内周エリアに隣接した、第２記録層のデータエリアの一部（後述されるＬ１層のブランクエリア）において、上述した記録要件を満たさないで、前述した情報記録装置による記録情報の記録が行われることを殆ど又は完全になくすことが可能である。以上の結果、例えばＤＶＤ−ＲＷ  ＤＬ等の、複数の記録層を有する書き換え型の情報記録媒体における、全ての記録領域に対して、記録要件を満たした、より適切な記録情報の記録を行うことが可能である。【００４６】
尚、上述した本発明の情報記録装置が有する各種態様に対応して、本発明の情報記録媒体も各種態様を採ることが可能である。【００４７】
本発明の情報記録媒体の一の態様では、前記記録情報が記録済み状態の記録領域の外周端の位置に関する一の位置情報を含む管理情報（RMD）を記録するための管理エリア（RMA）を備える。【００４８】
この態様によれば、例えばＤＶＤ−ＲＷ  ＤＬ等の２層書き換え型の情報記録媒体における記録情報の記録済み状態の記録領域に対して、前述した情報記録装置によって、ＲＯＷ方式に基づく記録処理を行うことが可能となる。即ち、当該情報記録媒体に対して、情報記録装置による、追記録や書き換え記録を含む、ランダムライト（Random Write）を可能とすることが可能である。【００４９】
本発明の情報記録媒体の他の態様では、（ｉ）前記記録情報の記録又は再生を管理すると共に、（ｉｉ）前記第１内周エリアと、前記第２内周エリアとにおける外周端の位置に関する他の位置情報を含む管理情報（RMD）を記録するための管理エリア（RMA）を備える。【００５０】
この態様によれば、例えば取得された管理情報に基づいて、例えば、他の情報記録装置によって、第１内周エリア、及び第２内周エリアの部分的又は全体的な記録領域における、所定の記録情報の記録を、時間的に連続して、又は連続させないで不連続に行うことが可能となる。【００５１】
本発明の情報記録媒体の他の態様では、前記管理情報は、当該情報記録媒体において、所定の前記記録情報が記録されているか否かを示す識別情報（フラグ）を含む。【００５２】
この態様によれば、例えば取得された管理情報に基づいて、例えば、他の情報記録装置によって、所定の記録情報の記録の必要性の有無を迅速且つ的確に識別することが可能となる。【００５３】
本発明のこのような作用及び他の利得は次に説明する実施例から明らかにされる。【００５４】
以上説明したように、本発明の情報記録装置及び方法によれば、記録手段及び工程、記録制御手段及び工程、並びに、フォーマット制御手段及び工程を備える。この結果、第２内周エリアに隣接した、第２記録層のデータエリアの一部（後述されるＬ１層のブランクエリア）において、上述した記録要件を満たさないで、情報記録装置による記録情報の記録が行われることを殆ど又は完全になくすことが可能である。【００５５】
また、本発明のコンピュータプログラムによれば、コンピュータを上述した本発明の情報記録装置として機能させるので、上述した、例えばＤＶＤ−ＲＷ  ＤＬ（Dual Layer）の光ディスク等の書き換え型の光ディスクに対して、情報記録装置をして、第２内周エリアに隣接した、第２記録層のデータエリアの一部（後述されるＬ１層のブランクエリア）において、上述した記録要件を満たさないで、記録情報の記録を行わしめることを殆ど又は完全になくすことが可能である。【００５６】
更に、また、本発明の情報記録媒体によれば、第１記録層と、第２記録層とを備え、第１内周エリア（FS0）、及び、第２内周エリア（FS1）において、所定の記録情報が予め記録されている。この結果、第２内周エリアに隣接した、第２記録層のデータエリアの一部（後述されるＬ１層のブランクエリア）において、上述した記録要件を満たさないで、情報記録装置による記録情報の記録が行われることを殆ど又は完全になくすことが可能である。
【図面の簡単な説明】
【００５７】
【図１】本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。
【図２】本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した一の概念的グラフである。
【図３】本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した他の概念的グラフである。
【図４】本発明の情報記録媒体の実施例に係る２層書き換え型の光ディスクにおいて、フォーマット用データが記録された記録領域を図式的に示した概念的模式図である。
【図５】本発明の情報記録媒体の実施例に係る２層書き換え型の光ディスクにおける、フォーマット用データが記録された記録領域において、ＬＪＲ方式に基づく記録処理が行われた記録領域を図式的に示した概念的模式図である。
【図６】本発明の管理情報に係るＲＭＤの内容の一具体例を示したテーブルである。
【図７】本発明の情報記録装置の実施例に係る情報記録再生装置、及び、ホストコンピュータの基本構成を示したブロック図である。
【図８】本発明の情報記録装置の実施例に係る情報記録再生装置によるフォーマット処理を示したフローチャートである。
【図９】比較例に係る単層書き換え型の光ディスクにおいて、ＲＯＷ方式に基づく記録処理を図式的に示した概念的模式図（図９（ａ））、及び比較例に係る２層追記型の光ディスクにおいて、ＬＪＲ方式に基づく記録処理を図式的に示した概念的模式図（図９（ｂ））である。
【図１０】比較例に係る２層書き換え型の光ディスクにおいて、ＲＯＷ方式、及びＬＪＲ方式に基づく記録処理を図式的に示した概念的模式図である。
【図１１】比較例に係る２層書き換え型の光ディスクにおいて、記録要件を満たした記録情報の記録を行うことが困難である、Ｌ１層のデータエリアの一部の物理的な構造を中心として、図式的に拡大した模式図である。
【図１２】本発明の情報記録媒体の実施例に係る２層書き換え型の光ディスクにおいて、記録要件を満たした記録情報の記録を行うことが可能である、Ｌ１層のデータエリアの一部の物理的な構造を中心として、図式的に拡大した模式図である。
【図１３】本発明の情報記録媒体の実施例に係る２層書き換え型の光ディスクにおいて、フォーマット用データが記録された記録領域の他の具体例（その１）を図式的に示した概念的模式図である。
【図１４】本発明の情報記録媒体の実施例に係る２層書き換え型の光ディスクにおいて、フォーマット用データが記録された記録領域の他の具体例（その２）を図式的に示した概念的模式図である。
【図１５】本発明の情報記録媒体の実施例に係る２層書き換え型の光ディスクにおいて、フォーマット用データが記録された記録領域の他の具体例（その３）を図式的に示した概念的模式図である。
【図１６】本発明に係る記録要件を概念的に示した模式図（図１６（ａ）及び図１６（ｂ））、並びに数値的に示したグラフ（図１６（ｃ））である。
【符号の説明】
【００５８】
１…センターホール、１０…トラック、１１…ＥＣＣブロック、１００…光ディスク、１０１…リードインエリア、１０２…データエリア、１０３…リードアウトエリア、１０４…ミドルエリア、１０４ｓ…シフトミドルエリア、３００…情報記録再生装置、３０１…光ピックアップ、３０２…信号記録再生手段、３０３…アドレス検出部、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＣＤＺ…コントロールデータゾーン、ＲＭＡ…レコーディングマネージメントエリア、ＬＢ…レーザ光
【発明を実施するための最良の形態】
【００５９】
以下、本発明を実施するための最良の形態について実施例毎に順に図面に基づいて説明する。【００６０】
（１）情報記録媒体の実施例
次に、図１から図６を参照して、本発明の情報記録媒体の実施例について詳細に説明する。【００６１】
（１−１）基本構成
先ず図１を参照して、本発明の情報記録媒体の実施例に係る光ディスクの基本構造について説明する。ここに、図１は、本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。尚、本実施例に係る光ディスクにおいては、Ｌ０層のトラックパスと、Ｌ１層のトラックパスとが反対の記録方向であるオポジット方式が記録方式の一具体例として採用されている。【００６２】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１又はリードアウトエリア１０３、データエリア１０２、並びに、ミドルエリア１０４が設けられている。そして、光ディスク１００の例えば、透明基板１０６に、Ｌ０層及びＬ１層等の記録層が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣ（Error Correction Code）ブロック１１という単位で分割されて記録される。ＥＣＣブロック１１は、記録情報がエラー訂正可能なデータ管理単位である。【００６３】
尚、本発明は、このような三つのエリアを有する光ディスクには特に限定されない。例えば、リードインエリア１０１又はリードアウトエリア１０３、並びにミドルエリア１０４が存在せずとも、以下に説明するデータ構造等の構築は可能である。また、後述するように、リードインエリア１０１又はリードアウト１０３、並びにミドルエリア１０４は更に細分化された構成であってもよい。【００６４】
本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。尚、２層型光ディスクにおけるオポジット方式による記録又は再生手順、並びに、各層におけるデータ構造については、後述される。【００６５】
（１−２）詳細構成
次に、図２及び図３を参照して、本発明の情報記録媒体の実施例に係る２層型光ディスクの詳細構成について説明する。より具体的には、図２及び図３を参照して、２層型光ディスクのデータ構造、該光ディスクの記録領域におけるＥＣＣブロックを構成する物理的セクタ番号等のアドレス、並びに、該光ディスクのオポジット方式による記録又は再生手順について説明する。ここに、図２は、本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した一の概念的グラフである。図３は、本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した他の概念的グラフである。尚、図２及び図３中の縦軸は、例えば１６進数で表現されたセクタ番号等のアドレスを示し、横軸は、光ディスクの半径方向の相対的な位置を示す。【００６６】
図２に示されるように、本発明の情報記録媒体の実施例に係る２層型光ディスク１００は、図示しない透明基板に積層された２層の記録層、即ち、Ｌ０層とＬ１層とを備えて構成されている。具体的には、Ｌ０層には、内周側から外周側にかけて、レコーディングマネージメントエリア（Recording Management Area）ＲＭＡ０、リードインエリア１０１−０、データエリア１０２−０、及びミドルエリア１０４−０が設けられている。【００６７】
ＲＭＡ０（及び、後述されるＲＭＡ１）においては、本発明に係る「管理情報」の一例を構成するＲＭＤ（Recording Management Data）が記録可能である。詳細には、ＲＭＡ０（ＲＭＡ１）においては、ＲＭＤが、約８１８回程度追記することが可能である。このＲＭＡ０（ＲＭＡ１）によって、本願発明に係る「管理エリア」の一例が構成されている。【００６８】
リードインエリア１０１−０には、コントロールデータゾーンＣＤＺが設けられている。このコントロールデータゾーンＣＤＺには、例えば記録層の数や記録トラックの方向やトラックピッチ等の各種情報が、例えばエンボスピットにより予め形成される、あるいはレーザ光等によってプリ記録される。データエリア１０２−０には、記録情報が記録可能である。ミドルエリア１０４−０は、Ｌ０層及びＬ１層に対する記録又は再生位置が未記録領域や基板外へ外れることを防止する基本機能を有するが、層間ジャンプの際に記録又は再生位置が未記録領域や基板外に外れることを防止する、言わば「ジャンプ緩衝用エリア」としての機能も有する。【００６９】
他方、Ｌ１層には、外周側から内周側にかけて、ミドルエリア１０４−１、データエリア１０２−１、リードアウトエリア１０３−１、及び、ＲＭＡ１が設けられている。より詳細には、ＲＭＡ０（ＲＭＡ１）と、図示しないレーザ光のパワーキャリブレーションを行う較正用エリアとを合わせて「Ｒ-Information Area」と称しても良い。また、上述したリードインエリア１０１−０、データエリア１０２−０（１０２−１）、及びミドルエリア１０４−０（１０４−１）を合わせて「Information Area」と称しても良い。【００７０】
また、本実施例に係る光ディスク１００においては、図３に示されるように、例えばインクリメンタルレコーディング（Incremental Recording）方式や、レイヤージャンプレコーディング（Layer Jump Recording）方式等において、記録情報のデータ量が光ディスクの全記録容量より比較的に少ない場合、データエリア１０２−０（１０２−１）の外周端を内周側に配置させるように構成してもよい。この場合、当該光ディスク１００においては、データエリア１０２−０（１０２−１）の外周端から内周側に位置する所定地点において、シフトミドルエリア１０４ｓ−０（１０４ｓ−１）を備えて構成してもよい。【００７１】
以上のように２層型光ディスク１００は構成されているので、該光ディスク１００の記録又は再生の際には、後述される本発明の情報記録装置の一具体例に係る情報記録再生装置の光ピックアップ等によって、レーザ光ＬＢは、図示しない基板の側から、即ち、図２及び図３中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００７２】
本発明の情報記録媒体の実施例に係る２層型光ディスクの記録又は再生手順として、オポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図２及び図３中の矢印の右方向へ移動するのとは逆に、Ｌ１層においては、光ピックアップが外周側から内周側へ向かって、即ち、図２及び図３中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。【００７３】
具体的には、図２のグラフ部分において示されるように、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号等のアドレスは増加していく。より具体的には、光ピックアップが、内周端「Ａ１」点、リードインエリア１０１−０の終了位置「Ａ２」点、データエリア１０２−０の開始位置「Ｂ１」点、データエリア１０２−０の終了位置「Ｂ２」点に順次アクセスして、緩衝の役目を果たすミドルエリア１０４−０（開始位置は「Ｃ１」点であり、終了位置は「Ｃ２」点である）と移動されることによって、Ｌ０層における記録又は再生が行われる。尚、本発明に係る第１トラックの一具体例が、Ｌ０層におけるアドレスの増加を示した直線によって規定される記録トラックによって構成されている。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１（開始位置は「Ｄ１」点であり、終了位置は「Ｄ２」点である）、データエリア１０２−１の開始位置「Ｅ１」点、データエリア１０２−１の終了位置「Ｅ２」点に順次アクセスして、リードアウトエリア１０３−１（開始位置は「Ｆ１」点であり、終了位置は「Ｆ２」点である）へと移動されることによって、Ｌ１層における記録又は再生が行われる。尚、本発明に係る第２トラックの一具体例が、Ｌ１層におけるアドレスの減少を示した直線によって規定される記録トラックによって構成されている。【００７４】
以上説明したＬ０層とＬ１層とにおけるセクタ番号等のアドレスは全て、例えば１６進数における１５の補数の関係等の所定の相関関係にあるようにしてもよい。より具体的には、例えば、Ｌ０層における折り返し点（例えばセクタ番号「１ＡＦＦＦＦｈ」）とＬ１層における折り返し点（例えばセクタ番号「Ｅ５００００ｈ」）は１５の補数の関係にあるようにしてもよい。尚、本実施例において、「３００００ｈ」等の末尾の「ｈ」とは１６進数で表現されていることを示す。形式的には、「１ＡＦＦＦＦｈ」の補数は、１６進数のセクタ番号「１ＡＦＦＦＦｈ」を２進数「０００１１０１０１１１１１１１１１１１１１１１１」に変換してからビット反転（インバート：invert）「１１１００１０１００００００００００００００００」させ、１６進数「Ｅ５００００ｈ」に再変換させることによって求められる。【００７５】
以上説明した物理的セクタ番号に対して、論理ブロックアドレス（ＬＢＡ：Logical Block Address）が、１対１に割り付けられているようにしてもよい。より具体的には、例えば、セクタ番号「０３００００ｈ」には「００００００」ＬＢＡが対応し、セクタ番号「１ＡＦＦＦＦｈ」には、「１７ＦＦＦＦ」ＬＢＡが対応するようにしてもよい。また、セクタ番号「Ｅ５００００ｈ」には、「１８００００」ＬＢＡが対応し、セクタ番号「ＦＣＦＦＥＦｈ」には、「２ＦＦＦＥＦ」ＬＢＡが対応する。よって、例えば、ホストコンピュータは、物理的セクタ番号に意識することなく、例えば、ファイルシステムによって管理された論理ブロックアドレスに従って記録及び再生動作を行うことが可能となる。【００７６】
（１−３）フォーマット用データの記録方法、及び管理情報の一具体例
次に、図４から図６を参照して、フォーマット用データの記録方法、及び管理情報の一具体例について説明する。ここに、図４は、本発明の情報記録媒体の実施例に係る２層書き換え型の光ディスクにおいて、フォーマット用データが記録された記録領域を図式的に示した概念的模式図である。図５は、本発明の情報記録媒体の実施例に係る２層書き換え型の光ディスクにおける、フォーマット用データが記録された記録領域において、ＬＪＲ方式に基づく記録処理が行われた記録領域を図式的に示した概念的模式図である。図６は、本発明の管理情報に係るＲＭＤの内容の一具体例を示したテーブルである。【００７７】
本実施例によれば、図４に示されるように、情報記録装置によって、例えばファイルシステム等の再生制御情報が記録予定である、記録領域ＦＳ０、及び、当該記録領域ＦＳ０に対向される、記録領域ＦＳ１のうち少なくとも記録領域ＦＳ０において、記録領域のフォーマット処理のためのフォーマット用データ（緩衝用データ：ゼロやＮｕｌｌ）が記録される。特に、本願発明に係る「所定の記録情報」の一具体例が、このフォーマット用データによって構成されている。また、このフォーマット用データの記録は、例えば光ディスクの製造時や、記録動作と平行したバックグラウンドフォーマット時等の所定のタイミングで記録されるようにしてもよい。尚、このような本実施例の作用効果については、後述される「（３）本実施例の作用効果の検討」において詳細に説明される。【００７８】
加えて、図５に示されるように、本実施例に係る２層書き換え型の光ディスクにおける、フォーマット用データが記録された記録領域において、ＬＪＲ方式に基づく記録処理が行われる。また、本実施例に係る２層書き換え型の光ディスクにおいては、情報記録装置によって、記録情報が記録済み状態の記録領域の外周端の位置に関する一の位置情報を含むＲＭＤ（Recording Management Data）が、前述したレコーディングマネージメントエリア（Recording Management Area）ＲＭＡ０（ＲＭＡ１）に記録される。具体的には、図６に示されるように、本実施例に係る管理情報は、（ｉ）例えばＬ０層におけるアドレス等の、記録情報が記録済み状態の記録領域の外周端の位置に関する一の位置情報、（ｉｉ）記録領域ＦＳ０の位置を特定可能な位置情報、及び（ｉｉｉ）当該記録領域ＦＳ０に対向される、記録領域ＦＳ１の位置を特定可能な位置情報を含むようにしてもよい。【００７９】
この結果、本実施例に係る２層書き換え型の光ディスクにおける記録情報の記録済み状態の記録領域に対して、ＲＯＷ方式に基づく記録処理を行うことが可能となる。即ち、本実施例に係る２層書き換え型の光ディスクに対して、情報記録装置による、追記録や書き換え記録を含む、ランダムライト（Random Write）を可能とすることが可能である。【００８０】
（２）情報記録装置の実施例
次に、図７及び図８を参照して、本発明の情報記録装置の実施例の構成及び動作について詳細に説明する。特に、本実施例は、本発明に係る情報記録装置を光ディスク用の情報記録再生装置に適用した例である。【００８１】
（２−１）基本構成
先ず、図７を参照して、本発明の情報記録装置に係る実施例における情報記録再生装置３００及び、ホストコンピュータ４００の基本構成について説明する。ここに、図７は、本発明の情報記録装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。【００８２】
図７を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。【００８３】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。【００８４】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【００８５】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０１が、データ入出力制御手段３０８、及びバス３０９を介して、直接情報記録再生装置３００を制御することによって、外部ネットワークと通信可能となるように構成してもよい。【００８６】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として第１のパワーで照射し、記録時には書き込み光として第２のパワーで且つ変調させながら照射する。【００８７】
信号記録再生手段３０２は、光ピックアップ３０１とスピンドルモータ３０６とを制御することで光ディスク１００に対して記録又は再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、ＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「記録手段」の一例を構成する。また、信号記録再生手段３０２は、例えばコントロールデータゾーンＣＤＺ、あるいはレコーディングマネージメントエリアＲＭＡ０（ＲＭＡ１）に記録されたＲＭＤを取得可能であるようにしてもよい。よって、信号記録再生手段３０２は、本発明に係る「取得手段」の一例を構成するようにしてもよい。【００８８】
アドレス検出部３０３は、信号記録再生手段３０２によって出力される、例えばプリフォーマットアドレス信号等を含む再生信号から光ディスク１００におけるアドレス（アドレス情報）を検出する。【００８９】
ＣＰＵ（ドライブ制御手段）３０５は、バス３０９を介して、各種制御手段に指示を行うことで、情報記録再生装置３００全体の制御を行う。尚、ＣＰＵ３０５が動作するためのソフトウェア又はファームウェアは、メモリ３０７に格納されている。特に、ＣＰＵ３０５は、本発明に係る「記録制御手段」又は「フォーマット制御手段」の一例を構成する。【００９０】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。【００９１】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００９２】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。【００９３】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【００９４】
操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【００９５】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【００９６】
（２−２）動作原理
次に、図８を適宜参照して、本発明の情報記録装置の実施例に係る情報記録再生装置における動作原理について説明する。ここに、図８は、本発明の情報記録装置の実施例に係る情報記録再生装置によるフォーマット処理を示したフローチャートである。【００９７】
図８に示されるように、例えばユーザによって、光ディスクが挿入される（ステップＳ１０１）。【００９８】
次に、ＣＰＵ（ドライブ制御手段）３０５の制御下で、例えば製造出荷時の状態等の初期状態の光ディスクが挿入されたか否かが判定される（ステップＳ１０２）。ここで、初期状態の光ディスクが挿入された場合（ステップＳ１０２：Ｙｅｓ）、ＣＰＵ３０５の制御下で、記録領域ＦＳ０、及び、当該記録領域ＦＳ０に対向される、記録領域ＦＳ１のうち少なくとも記録領域ＦＳ０において、記録領域のフォーマット処理のためのフォーマット用データ（緩衝用データ：ゼロやＮｕｌｌ）が記録される（ステップＳ１０３）。【００９９】
次に、ＣＰＵ３０５の制御下で、例えば記録開始アドレスから、記録情報の記録が行われる（ステップＳ１０４）。【０１００】
次に、ＣＰＵ３０５の制御下で、（ｉ）当該光ディスクを排出するか否か、又は（ｉｉ）情報記録装置の電源をＯｆｆにするか否かが判定される（ステップＳ１０５）。ここで、（ｉ）当該光ディスクを排出する場合、又は（ｉｉ）情報記録装置の電源をＯｆｆにする場合（ステップＳ１０５：Ｙｅｓ）、ＣＰＵ３０５の制御下で、記録情報が記録済み状態の記録領域の外周端の位置に関する一の位置情報を含むＲＭＤが、ＲＭＡに記録される（ステップＳ１０６）。【０１０１】
他方、ステップＳ１０５の判定の結果、（ｉ）当該光ディスクを排出しない場合、又は（ｉｉ）情報記録装置の電源をＯｆｆにしない場合（ステップＳ１０５：Ｎｏ）、ＣＰＵ３０５の制御下で、前述したステップＳ１０５の判定が行われる。【０１０２】
（３）本実施例の作用効果の検討
次に、図９から図１２に加えて前述した図４を適宜参照して本実施例の作用効果について検討を加える。ここに、図９は、比較例に係る単層書き換え型の光ディスクにおいて、ＲＯＷ方式（Restricted Over Write Mode）に基づく記録処理を図式的に示した概念的模式図（図９（ａ））、及び比較例に係る２層追記型の光ディスクにおいて、ＬＪＲ方式（Layer Jump Recording Mode）に基づく記録処理を図式的に示した概念的模式図（図９（ｂ））である。図１０は、比較例に係る２層書き換え型の光ディスクにおいて、ＲＯＷ方式、及びＬＪＲ方式に基づく記録処理を図式的に示した概念的模式図である。図１１は、比較例に係る２層書き換え型の光ディスクにおいて、記録要件を満たした記録情報の記録を行うことが困難である、Ｌ１層のデータエリアの一部の物理的な構造を中心として、図式的に拡大した模式図である。図１２は、本発明の情報記録媒体の実施例に係る２層書き換え型の光ディスクにおいて、記録要件を満たした記録情報の記録を行うことが可能である、Ｌ１層のデータエリアの一部の物理的な構造を中心として、図式的に拡大した模式図である。【０１０３】
図９（ａ）に示されるように、単層書き換え型の情報記録媒体において一般的に行われているＲＯＷ方式においては、次のように、記録情報の記録が行われる。【０１０４】
先ず、単一の記録層のデータエリア１０２の内周から外周に向かって、記録情報の記録が行われる（ステップＳ１０、Ｓ１１、及びＳ１２における矢印を参照）。このように記録情報が記録された記録領域においては、追記録や書き換え記録を含む、ランダムライト（Random Write）が可能である。【０１０５】
最後に、（ｉ）記録情報の位置を特定可能であると共に、（ｉｉ）記録情報の再生を制御する、ファイルシステム（File System）等の再生制御情報が、予め確保された（リザーブされた）、所定の記録領域ＦＳにおいて、記録される（ステップＳ１３における矢印を参照）。【０１０６】
他方で、図９（ｂ）に示されるように、例えばＤＶＤ−Ｒ  ＤＬ（Dual Layer）等の多層追記型の情報記録媒体において採用されている、ＬＪＲ方式においては、次のように、記録情報の追記録が行われる。【０１０７】
先ず、Ｌ０層のデータエリア１０２−０における一部Ａ０と、当該一部Ａ０と対向する位置にあるＬ１層のデータエリア１０２−１における一部Ａ１とを含む記録領域の記録単位で、記録情報が追記録される（ステップＳ２０のコの字型の矢印を参照）。次に、Ｌ０層のデータエリア１０２−０における他部Ｂ０と、当該他部Ｂ０と対向する位置にあるＬ１層のデータエリア１０２−１における他部Ｂ１とを含む記録領域の記録単位で、記録情報が追記録される（ステップＳ２１のコの字型の矢印を参照）。【０１０８】
最後に、前述したファイルシステム等の再生制御情報が、Ｌ０層で予め確保された（リザーブされた）、所定の記録領域ＦＳ０において、追記録される（ステップＳ２２における矢印を参照）。加えて、ファイルシステム等の再生制御情報が、Ｌ１層で予め確保された、所定の記録領域ＦＳ１において、追記録される（ステップＳ２３における矢印を参照）。【０１０９】
仮に、上述した、例えばＤＶＤ−ＲＷ  ＤＬ（Dual Layer）等の多層書き換え型の情報記録媒体において、上述したＲＯＷ方式（図９（ａ））とＬＪＲ方式（図９（ｂ））との記録方式を併用して適用した場合、次のような技術的な問題点が生じてしまう。【０１１０】
即ち、図１０に示されるように、例えばファイルシステム等の再生制御情報が記録予定である、Ｌ０層の内周部に位置する所定の範囲の記録領域ＦＳ０（即ち本発明の「第１内周エリア」の一具体例）に対向しつつＬ１層の内周部に位置する所定の範囲の記録領域ＦＳ１（即ち本発明の「第２内周エリア」の一具体例）に隣接した、Ｌ１層のデータエリアの一部（即ち、Ｌ１層のブランクエリアＢＡ１）においては、上述した記録要件を満たした、記録情報の記録を行うことが困難となってしまうという技術的な問題点が生じてしまう。【０１１１】
詳細には、上述した記録領域ＦＳ０、及び、上述した記録領域ＦＳ１においては、例えばファイルシステム等の再生制御情報が記録予定であるため、例えばコンテンツ等の記録情報が記録されないように確保（リザーブ：Reserve）される。よって、上述したＬＪＲ方式に基づいて、最初に、上述した記録領域ＦＳ０に隣接するＬ０層のデータエリアの一部Ｃ０において、内周から外周に向かって記録情報が記録される。引き続いて、上述した記録領域ＦＳ１に隣接するＬ１層のデータエリアの一部Ｃ１において、外周から内周に向かって記録情報が記録された場合、記録要件を満たして記録処理を行うことができない記録領域、所謂、ブランクエリアＢＡ１が、記録領域ＦＳ１とＬ１層のデータエリアの一部Ｃ１との境界において生じてしまうという技術的な問題点が生じてしまう。【０１１２】
ブランクエリアＢＡ１について、より詳細には、図１１に示されるように、２層型の光ディスクの製造工程に起因した、Ｌ０層の一の記録領域（即ち、アドレス「Ｘ」からアドレス「Ｙ」によって示される記録領域）に、例えばプリフォーマットアドレス等の位置情報によって対応されるＬ１層の他の記録領域（即ち、アドレス「Ｉｎｖ  Ｘ」からアドレス「Ｉｎｖ  Ｙ」によって示される記録領域、但し、「Ｉｎｖ」は補数を示す関数である）の位置にズレが生じてしまい、レーザ光ＬＢが、Ｌ０層の記録済み状態である一の記録領域を介して、Ｌ１層の他の記録領域に必ず照射されるとは限らない可能性が生じてしまう。より詳細には、上述した２層型の光ディスクの製造工程に起因したズレは、次のようないくつかの原因に起因することが判明している。即ち、（ｉ）ＤＶＤ−ＲＯＭや、ＤＶＤ−Ｒ／ＲＷ等の２層型の光ディスクの製造工程においては、解けたポリカーボネート樹脂を、スタンパディスクを使って成型することによってＬ０層とＬ１層とが別々に形成され、最後にこれらＬ０層とＬ１層との基板が貼り合わせられる。よって、Ｌ０層及びＬ１層において、貼り合わせ誤差による位置ずれが生じてしまう可能性がある。或いは、（ｉｉ）Ｌ０層とＬ１層とが別々のスタンパによって形成されているため、夫々の記録層におけるトラックピッチに偏差が生じてしまう可能性がある。更に、或いは、（ｉｉｉ）Ｌ０層及びＬ１層におけるプリフォーマットアドレスとしてＬＰＰ（Land Pre Pit）をレーザカッティング等の手法によって夫々作成する場合、Ｌ０層及びＬ１層のＬＰＰの開始位置の違いによって生じるアドレスのずれが生じてしまう可能性がある。【０１１３】
これに対して、本実施例によれば、前述した図４、及び図１２に示されるように、情報記録装置によって、例えばファイルシステム等の再生制御情報が記録予定である、記録領域ＦＳ０、及び、当該記録領域ＦＳ０に対向される、記録領域ＦＳ１のうち少なくとも記録領域ＦＳ０において、記録領域のフォーマット処理のためのフォーマット用データ（緩衝用データ：ゼロやＮｕｌｌ）が記録される。【０１１４】
この結果、記録領域ＦＳ１に隣接した、Ｌ１層のデータエリアの一部（Ｌ１層のブランクエリアＢＡ１）において、上述した記録要件を満たさないで、情報記録装置による記録情報の記録が行われることを殆ど又は完全になくすことが可能である（図１２も参照）。以上の結果、例えばＤＶＤ−ＲＷ  ＤＬ等の、複数の記録層を有する書き換え型の情報記録媒体における、上述したブランクエリアＢＡ１を含む全ての記録領域に対して、記録要件を満たした、より適切な記録情報の記録を行うことが可能である。【０１１５】
（４）フォーマット用データの記録方法の他の具体例
次に、図１３から図１５を参照して、本実施例に係るフォーマット用データの記録方法の他の具体例について説明する。ここに、図１３は、本発明の情報記録媒体の実施例に係る２層書き換え型の光ディスクにおいて、フォーマット用データが記録された記録領域の他の具体例（その１）を図式的に示した概念的模式図である。図１４は、本発明の情報記録媒体の実施例に係る２層書き換え型の光ディスクにおいて、フォーマット用データが記録された記録領域の他の具体例（その２）を図式的に示した概念的模式図である。図１５は、本発明の情報記録媒体の実施例に係る２層書き換え型の光ディスクにおいて、フォーマット用データが記録された記録領域の他の具体例（その３）を図式的に示した概念的模式図である。【０１１６】
（４−１）フォーマット用データの記録方法の他の具体例−その１−
本実施例によれば、図１３に示されるように、情報記録装置によって、例えばファイルシステム等の再生制御情報が記録予定である、記録領域ＦＳ０において、記録領域のフォーマット処理のためのフォーマット用データ（緩衝用データ：ゼロやＮｕｌｌ）が記録されるようにしてもよい。【０１１７】
この結果、例えば光ディスクの製造時や、記録動作と平行したバックグラウンドフォーマット時等の所定のタイミングで記録されるフォーマット用データの記録処理を、記録領域ＦＳ０、及び記録領域ＦＳ１の両方において行う場合と比較して、より迅速且つ的確に実現することが可能となる。【０１１８】
（４−２）フォーマット用データの記録方法の他の具体例−その２−
本実施例によれば、図１４に示されるように、情報記録装置によって、例えばファイルシステム等の再生制御情報が記録予定である、（ｉ）記録領域ＦＳ０の全部の記録領域、及び当該記録領域ＦＳ０に対向される、記録領域ＦＳ１の外周端の部分において、記録領域のフォーマット処理のためのフォーマット用データ（緩衝用データ：ゼロやＮｕｌｌ）が記録されるようにしてもよい。【０１１９】
この結果、フォーマット用データの記録処理をより迅速且つ的確にしつつ、記録領域ＦＳ１に隣接した、Ｌ１層のデータエリアの一部（Ｌ１層のブランクエリアＢＡ１）において、上述した記録要件を満たさないで、情報記録装置による記録情報の記録が行われることを殆ど又は完全になくすことが可能である。【０１２０】
（４−３）フォーマット用データの記録方法の他の具体例−その３−
本実施例によれば、図１５に示されるように、情報記録装置によって、例えばファイルシステム等の再生制御情報が記録予定である、（ｉ）記録領域ＦＳ０を含むＬ０層の記録領域の全体、及び、（ｉｉ）記録領域ＦＳ１を含むＬ１層の記録領域の全体において、記録領域のフォーマット処理のためのフォーマット用データ（緩衝用データ：ゼロやＮｕｌｌ）が記録されるようにしてもよい。【０１２１】
この結果、記録領域ＦＳ１に隣接した、Ｌ１層のデータエリアの一部（Ｌ１層のブランクエリアＢＡ１）を含む、Ｌ１層のデータエリアの全てにおいて、上述した記録要件を満たさないで、情報記録装置による記録情報の記録が行われることを殆ど又は完全になくすことが可能である。【０１２２】
上述した実施例では、情報記録媒体の一具体例として、例えばブルーレイ、赤色ＬＤ光、又は赤外光等のレーザ光によって記録又は再生が可能な、２層型の光ディスクについて説明した。加えて、本発明は、例えば、３層以上の記録層を備える多層型（マルチプルレイヤ型）の光ディスクや単層型の光ディスクにも適用可能である。更に、他の高密度記録或いは高転送レート対応の各種の情報記録媒体にも適用可能である。【０１２３】
また、上述した実施例では、情報記録装置の一具体例として、例えば２層型の光ディスクに対応した情報記録再生装置について説明した。加えて、本発明は、例えば、３層以上の記録層を備える多層型（マルチプルレイヤ型）の光ディスクや単層型の光ディスクに対応した情報記録再生装置にも適用可能である。更に、他の高密度記録或いは高転送レート対応の各種の情報記録媒体に対応した情報記録再生装置にも適用可能である。【０１２４】
本発明は、上述した実施例に限られるものではなく、請求の範囲及び明細書全体から読み取れる発明の要旨或いは思想に反しない範囲で適宜変更可能であり、そのような変更を伴う、情報記録装置及び方法、並びに、コンピュータプログラムもまた本発明の技術的範囲に含まれるものである。
【産業上の利用可能性】
【０１２５】
本発明に係る情報記録装置及び方法、コンピュータプログラム、並びに、情報記録媒体は、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体に利用可能であり、また当該情報記録媒体に対する情報記録装置等に利用可能である。また、例えば民生用或いは業務用の各種コンピュータ機器に搭載される又は各種コンピュータ機器に接続可能な情報記録装置等にも利用可能である。
【図１】
2007046493.tif 000003
【図２】
2007046493.tif 000004
【図３】
2007046493.tif 000005
【図４】
2007046493.tif 000006
【図５】
2007046493.tif 000007
【図６】
2007046493.tif 000008
【図７】
2007046493.tif 000009
【図８】
2007046493.tif 000010
【図９】
2007046493.tif 000011
【図１０】
2007046493.tif 000012
【図１１】
2007046493.tif 000013
【図１２】
2007046493.tif 000014
【図１３】
2007046493.tif 000015
【図１４】
2007046493.tif 000016
【図１５】
2007046493.tif 000017
【図１６】
2007046493.tif 000018
【国際調査報告】
2007046493.tif 000019
2007046493.tif 000020